(57)【要約】ワイヤレス伝送タグ（１００）は、制御回路（１２０）を介してアンテナ（１３０）に結合されたメモリ（１１０）を有する。メモリ（１１０）は通常、ワイヤレス伝送タグ（１００）によって送信すべきデータを格納する。制御回路（１２０）は、第１回路部分（１２２）および第２回路部分（１２４）を有することがあり、電源（１４０）によって電源供給される。電源（１４０）はセンサ（１５０）に結合され、センサ（１５０）により外部刺激が検出されると制御回路（１２０）の少なくとも一部への電源供給を活動化するように構成される。このようにして、事前定義された刺激によって活動化されたときにのみデータ送信を開始するワイヤレス伝送タグ（１００）が提供される。
2006519563.tif 000002
【特許請求の範囲】
【請求項１】
メモリと、
前記メモリに結合された制御回路と、
前記制御回路に結合されたアンテナと、
前記制御回路に電源を供給する電源と、
を有するワイヤレス伝送タグであって、
前記電源が、外部刺激に応答して前記電源から前記制御回路の少なくとも一部への電源供給を活動化するセンサに結合されるワイヤレス伝送タグ。
【請求項２】
前記センサは、前記制御回路を介して前記電源に結合され、
前記制御回路は、
前記メモリから前記アンテナへのデータ転送を制御する第１回路部分と、
前記センサの出力信号に応答して、前記電源から前記第１回路部分への電源供給を活動化する第２回路部分と、
を備える請求項１に記載のワイヤレス伝送タグ。
【請求項３】
メモリと、前記メモリに結合された制御回路と、前記制御回路に結合されたアンテナと、前記制御回路に電源を供給する電源とを有する、ワイヤレス伝送タグでタグ付けされた製品であって、前記電源が、外部刺激に応答して前記電源から前記制御回路の少なくとも一部への電源供給を活動化するセンサに結合され、前記外部刺激をトリガする手段を備える製品。
【請求項４】
メモリと、
前記メモリに結合された制御回路と、
前記制御回路に結合されたアンテナと、
制御回路に電源を供給する電源であって、外部刺激に応答して前記電源から前記制御
回路の少なくとも一部への電源供給を活動化するセンサに結合される電源と、
を有する、ワイヤレス伝送タグが取り付けられた製品と、
処理装置と、前記処理装置に結合された受信機とを有する電子装置であって、外部刺激が検出されるとワイヤレス・タグによって送信されるデータの受信機による受信に前記処理装置が応答して、前記外部刺激に関するオペレーションを実施するように構成される電子装置と、
を備える通信システム。
【請求項５】
前記電子装置がネットワークに結合され、前記オペレーションが、前記ネットワークを越えて情報を送信することを含む請求項４に記載の通信システム。
【請求項６】
電子装置およびワイヤレス伝送タグを備える通信システム内の電子装置を制御する方法であって、
前記ワイヤレス伝送タグに結合されたセンサにより外部刺激を検出するステップと、
前記刺激の検出に応答して、前記ワイヤレス伝送タグからのデータ伝送を活動化するステップと、
前記電子装置によりデータ伝送を受信するステップと、
前記データ伝送の受信に応答して、前記外部刺激に関連する前記電子装置のオペレーションを開始するステップと
を含む方法。
【請求項７】
前記データ伝送の受信に応答して、前記外部刺激に関連する前記電子装置のオペレーションを開始する前記ステップが、ネットワークを越えて情報を送信することを含む請求項６に記載の方法。
【発明の詳細な説明】
【技術分野】
【０００１】
本発明はワイヤレス伝送タグに関する。  
本発明はまた、ワイヤレス伝送タグが取り付けられた製品に関する。  
本発明はさらに、ワイヤレス伝送タグが取り付けられた製品を含む通信システムに関する。  
本発明はさらに、ワイヤレス伝送タグを含む通信システムの電子装置を制御する方法に関する。
【背景技術】
【０００２】
ワイヤレス・タグ、具体的には無線周波数（ＲＦ）タグは、製品情報源としてますます一般的になっており、これは、タグが比較的小型で安価に製造され、それにより、ビジネスならびに家庭の応用例でワイヤレス伝送タグを広く用いることが可能になるという理由からでは全くない。
【０００３】
大部分の応用例分野では、使用されるワイヤレス・タグは、製品情報を連続的または断続的に送信する能動タグである。そのような伝送タグの使用は、製品情報の受信側として意図される電子装置は受信機を備えるだけでよいことを意味し、電子装置のコストの点で有利である。このことは特に、受信機が家庭用電気器具に統合される家庭応用例領域など、往々にして電子装置の主な作業がタグと通信することではない応用例領域で重要である。
【０００４】
しかしながら、製品情報源としてのワイヤレス伝送タグの人気が高まることにより、いくつかの重大な問題が引き起こされる。エリア内のワイヤレス伝送タグ数が増加すると共に、異なる伝送数も同様に増加する。この増加により、様々なワイヤレス伝送タグからの伝送信号が同一の伝送周波数範囲を共有するときは特に、様々なワイヤレス伝送タグからの伝送信号間で破壊的な干渉が引き起こされる可能性が高い。そのような干渉により、伝送される情報の受信が著しく遅延し、さらにはそのような受信が失敗するので、明らかにそのような干渉は極めて望ましくないものである。
【発明の開示】
【発明が解決しようとする課題】
【０００５】
本発明の目的は、他のワイヤレス伝送タグとの破壊的な干渉が生じる機会を低減するワイヤレス伝送タグを提供することである。
【０００６】
本発明の別の目的は、他のワイヤレス伝送タグとの破壊的な干渉が生じる機会を低減するワイヤレス伝送タグが取り付けられた製品を提供することである。
【０００７】
本発明の別の目的は、他のワイヤレス伝送タグとの破壊的な干渉が生じる機会を低減することから益を得るワイヤレス伝送タグを含む通信システムを提供することである。
【０００８】
本発明のさらに別の目的は、ワイヤレス伝送タグを含む通信システムの電子装置を制御する方法であって、他のワイヤレス伝送タグとの破壊的な干渉が生じる機会を低減する方策が利用される方法を提供することである。
【課題を解決するための手段】
【０００９】
本発明の第１の態様によれば、メモリと、メモリに結合された制御回路と、制御回路に結合されたアンテナと、制御回路に電源を供給する電源とを有するワイヤレス伝送タグであって、電源が、外部刺激に応答して電源から制御回路の少なくとも一部への電源供給を活動化するセンサに結合されるワイヤレス伝送タグが提供される。
【００１０】
本発明は、ワイヤレス伝送タグの大部分が、通常は１回または多くても数回必要とされる情報を含み、ワイヤレス伝送タグが情報を頻繁に出力する必要がないという理解に基づく。さらに、情報が実際に必要とされる瞬間は、多くの場合、タグ付けされた製品の開封、タグ付けされた製品のマイクロ波への挿入、タグ付けされた製品がバー・コード・リーダなどの何らかのリーダによって探査されるなどの外部刺激に結びついている。したがって、ワイヤレス伝送タグがその情報を送信する必要があるのは、この外部刺激が生じたときだけである。この目的で、ワイヤレス伝送タグは、外部刺激を検出するセンサを備え、この外部刺激の後に、センサはワイヤレス伝送タグを活動化する。このことは、様々なワイヤレス伝送タグからのデータ・トラフィックを著しく低減し、したがって破壊的な干渉の危険を低減することが達成されるという利点を有するだけでなく、ワイヤレス伝送タグはセンサによって活動化されたときだけその情報を送信するので、ワイヤレス伝送タグの電力効率が向上するという追加の利点も有する。
【００１１】
一実施形態では、センサが制御回路を介して電源に結合され、制御回路は、メモリからアンテナへのデータ転送を制御する第１回路部分と、センサの出力信号に応答して、電源から第１回路部分への電源供給を活動化する第２回路部分とを備える。
【００１２】
このことは、電源がセンサに直接結合されず、電源を低電力モードで使用して、センサ読取り値を解釈する制御回路の部分に電源を供給することができるという利点を有する。
【００１３】
この点で、国際公開第０２／０７０８４号が、センサを備え、何らかの形態のパッケージングのシールに取り付けられるＲＦワイヤレス・トランスポンダ・タグを記載していることに留意されたい。このセンサは、パッケージングの開封を感知するのに使用され、ＲＦトランスポンダ・タグのメモリへのデータの格納をトリガする。トランシーバによりＲＦトランスポンダ・タグが次に呼掛けられると、このデータをメモリから取り出すことができ、したがってパッケージングの開封が明らかになる。国際公開第０２／０７０８４号は、イベントの発生を合図するための受動タグに格納された情報のセンサトリガ式変更を教示していることを強調しておく。しかし、この特許出願は、能動タグすなわちワイヤレス伝送タグをウェイクアップさせて、そのようなタグの各伝送間の破壊的な干渉の危険を低減するためのセンサの使用法を教示していない。さらに、ある応用例領域で受動タグを使用することについて先に述べた欠点とは別に、国際公開第０２／０７０８４号で開示される方策の深刻な欠点は、元の情報がセンサトリガ情報で上書きされることであり、それにより、こうした方策は、本発明が対象とする応用例領域内の応用例には適さない。
【００１４】
本発明の第２の態様によれば、メモリと、メモリに結合された制御回路と、制御回路に結合されたアンテナと、制御回路に電源を供給する電源とを有する、ワイヤレス伝送タグが取り付けられた製品であって、電源が、外部刺激に応答して電源から制御回路の少なくとも一部への電源供給を活動化するセンサに結合され、外部刺激をトリガする手段を備える製品が提供される。
【００１５】
製品が元の状態を維持しなければならないが、ワイヤレス伝送タグからの情報転送も行わなければならないので外部刺激をユーザ制御しなければならないという状況で、この製品は有利である。この目的で、ユーザは、センサ読取り値をトリガする手段を修正することができる。
【００１６】
本発明の第３の態様によれば、メモリと、メモリに結合された制御回路と、制御回路に結合されたアンテナと、制御回路に電源を供給する電源であって、外部刺激に応答して電源から制御回路の少なくとも一部への電源供給を活動化するセンサに結合される電源とを有するワイヤレス伝送タグが取り付けられた製品と、処理装置と、処理装置に結合された受信機とを有する電子装置であって、外部刺激が検出されるとワイヤレス・タグによって送信されるデータの受信機による受信に処理装置が応答して、外部刺激に関するオペレーションを実施するように構成される電子装置と、を備える通信システムが提供される。
【００１７】
ワイヤレス伝送タグによるデータの送信をトリガする外部刺激を導く特定のイベントの発生は、電子装置による製品の何らかの形態の処理を終了する必要性の指示でよく、または電子装置がその変化に従って動作することを必要とする製品の状態の変化によって引き起こすことができる。ワイヤレス伝送タグによって送信されるデータは、外部刺激の発生に関連する動作を電子装置が行うことを必要とする瞬間に、電子装置に送達される。したがって、ワイヤレス伝送タグによって搬送されるデータが、例えば電子装置に対する何らかの形態の命令によってこの動作をトリガするように意図される場合に有利である。
【００１８】
通信システムの一実施形態では、電子装置がネットワークに結合され、オペレーションが、ネットワークを越えて情報を送信することを含む。
【００１９】
このことは、例えば、製品が使用中であることをワイヤレス伝送タグからのデータが示すときに有利であり、この場合に、このデータに応答して電子装置によって送信される情報を、ユーザが製品の供給元に情報を送信することによって製品を使い果たすことを防止するように対象を設定することができる。ほんのいくつかの応用例を挙げると、これは、家庭必需品ならびに医薬品に対して有用であり得る。
【００２０】
本発明の第４の態様によれば、電子装置およびワイヤレス伝送タグを備える通信システム内の電子装置を制御する方法であって、ワイヤレス伝送タグによる外部刺激を検出するステップと、刺激の検出に応答して、ワイヤレス伝送タグからのデータ伝送を活動化するステップと、電子装置によるデータ伝送を受信するステップと、データ伝送の受信に応答して、電子装置のオペレーションを開始するステップとを含む方法が提供される。
【００２１】
そのような方法は、電子装置が関係する外部イベントの発生に応答して、電子装置の命令フローにわたる制御を可能にするという利点を有する。このようにして、電子装置の制御が改善される。こうした命令が、ヒューマンインターフェイスに依拠せずに所望の瞬間に今やトリガされるからである。
【００２２】
この方法の一実施形態において、データ処理に応答して電子装置のオペレーションを初期化するステップは、ネットワークを越えて情報を送信することを含む。
【００２３】
このことは、さらなる情報を求める要求であることがあり、またはワイヤレス伝送タグが取り付けられる製品に関するステータス更新であることがある情報を、所望の瞬間に送信できるという利点を有し、それにより、例えば、ワイヤレス伝送タグの伝送範囲外での製品ステータスの正確なリアル・タイム監視が可能となる。  
添付の図面を参照しながら、非限定的な例示によって本発明を詳細に説明する。
【発明を実施するための最良の形態】
【００２４】
図１では、ワイヤレス通信タグ１００が、制御回路１２０に結合されたメモリ１１０を有し、制御回路１２０がアンテナ１３０に結合される。メモリ１１０は通常、ワイヤレス通信タグ１００のアンテナ１３０を通じてワイヤレス通信タグ１００によって送信されるべきデータを格納し、制御回路１２０は、データの送信を制御する。制御回路１２０は電源１４０に結合される。さらに、ワイヤレス通信タグ１００は、電源１４０に結合されたセンサ１５０を有し、電源１４０は、電源１４０から制御回路１２０の第１回路部分１２２への経路内のセンサ１５０制御のスイッチ１２６によって象徴的に示すように、外部刺激が検出されると、制御回路１２０の少なくとも一部への電源供給を活動化するように構成される。センサ１５０は、ワイヤレス伝送タグ１００の一体部分でよく、またはワイヤレス伝送タグ１００に結合された外部装置でよい。センサ１５０は電源１４０に直接結合することができ、または制御回路１２０の第２回路部分１２４を介して電源１４０に結合することができる。第２回路部分１２４はデジタル回路部分でよく、通常は、センサ１５０の出力信号に応答して、センサ１５０の出力を解釈し、制御回路１２０のアナログ回路部分でよい第１回路部分１２２への電源供給を制御するように構成される。第１回路部分１２２は通常、メモリ１１０に格納されたデータのアンテナ１３０を介する送信を制御するように構成される。
【００２５】
この点で、センサ１５０は、温度センサ、ガスセンサ、圧力センサ、バイオセンサなどの知られているどんなセンサでもよいことを強調しておく。加えて、本発明の範囲から逸脱することなく、伝送を受信するようにワイヤレス伝送タグ１００をさらに構成できることを指摘しておく。
【００２６】
本発明によるワイヤレス伝送タグ１００を、ワイヤレス伝送タグ１００からのデータの伝送が事前定義された機会にのみ行われることが望ましい多種多様な応用例で使用することができる。例えば、食料雑貨類などのさらに多くの家庭用製品がワイヤレス伝送タグ１００でラベリングされ、ワイヤレス伝送タグ１００のメモリに製品関連情報が格納されることを想定することができる。本発明によるワイヤレス・タグ１００の使用は、不必要な伝送を回避し、ワイヤレス伝送タグ１００と同じ伝送周波数を共有する他のタグまたは送信源からの伝送と混信する危険を低減する。
【００２７】
有用な実装は、ワイヤレス伝送タグ１００を食料品のパッケージングに挿入することであり、食料品のパッケージングの開封が、少数の例を挙げると、例えばセンサ１５０が空気に露出されることにより、センサ１５０にパッケージング圧力の低下を検出させることにより、またはセンサ１５０に結合された導電性ループの破壊により、センサ１５０によって感知される。例えばメモリ１１０が食料品に関する調理の指示を含むために、通常、食料品パッケージングの開封が食料品の消費に関係し、その時点で、ワイヤレス伝送タグ１００のメモリ１１０に格納された情報が食料品の消費者にとって関心の対象となる。したがって、メモリ１１０に格納されたデータは、食料品パッケージングを開封するという外部刺激の際にのみ送達され、ワイヤレス伝送タグ１００による不必要な伝送が回避される。このことは、電源１４０の容量を削減することができることを意味する電力の節約だけでなく、保管時にワイヤレス伝送タグ１００は沈黙するので、別のワイヤレス伝送タグの伝送と衝突または混同するワイヤレス伝送タグ１００の伝送という危険も低減する。
【００２８】
他の実装は、例えば食料品が一定の温度に達した状況で、食料品の調理の終了を知らせるのに使用することができる、ワイヤレス伝送タグ１００による警告信号の伝送を含むことができる。例えば使い捨て飲料容器が危険なほど熱い飲料を含むことを知らせるために、食料品が一定の温度を超過したことを知らせるのに使用することもできる。別の応用例は、製品が一定のレベルの毒素を含むことを潜在的消費者に警告するための、食料品の組成の感知でよく、それにより、食料品の消費適合性を超えた食料品の劣化を示すことができる。さらに、非食料品応用例領域もセンサ活動化ワイヤレス伝送タグ１００から益を受けることができる。例えば、車タイヤのリムが、パンクしたタイヤを知らせるために、圧力センサ１５０を有するワイヤレス伝送タグ１００を備えることができる。本発明の教示から逸脱することなく、他の多くの応用例を考えることができる。
【００２９】
図２に、センサ１５０に結合されたワイヤレス伝送タグ１００を備える製品２００を示す。図２に示す実施形態では、センサ１５０は導電性ループ１６０を有し、導電性ループ１６０は、製品２００の切り離し部分２２０の下に部分的に延びる。切り離し部分２２０を切り離すことにより、導電性ループ１６０が破壊され、これが、センサ１５０がそれに対して敏感な外部刺激である。したがって、導電性ループ１６０の破壊が、ワイヤレス伝送タグ１００の活動化をトリガする。このことは、製品２００の使用中または調理中に無傷なままであるべきであるパッケージングで製品２００が包まれる応用例で特に有利である。このようにして、製品２００自体を乱す必要なく、製品２００のユーザによってワイヤレス伝送タグ１００を活動化することができる。外部刺激を与える手段を有する製品２００の他の実施形態は容易に考えることができ、例えば製品２００は、センサ１５０を覆う気密シールを有することができ、製品２００の使用時にセンサ１５０に穴を開けることができる。代替的に、製品２００は、ワイヤレス伝送タグ１００に結合された圧力センサ１５０を備えることができ、それにより、センサに圧力を加えることによって、または加圧食料容器の開封と同様に圧力の低下を感知することによってワイヤレス伝送タグ１００の活動化が可能となり、加圧食料容器の開封の場合、そのような製品は通常、数年に及ぶことがある長期保管用であるので、電力消費の大幅な削減が得られる。別の代替実施形態は、切り離しブラックアウト箔または紙などで覆われた光センサ１５０に結合されたワイヤレス伝送タグ１００でよい。センサ１５０はワイヤレス伝送タグ１００の一体部分でよく、またはワイヤレス伝送タグ１００に結合された外部装置でよく、後者の場合、センサ１５０は製品２００の一体部分でよいことをもう一度明記しておく。
【００３０】
ワイヤレス伝送タグ１００の伝送の開始が、ワイヤレス伝送タグ１００が取り付けられた製品の取扱いと同時に行われるという事実を利用して、ワイヤレス伝送タグ１００の伝送を受信する装置でイベントをトリガすることができる。そのような通信システムの一例の略図を図３に示し、図３を、前の各図と、それに伴う詳細な説明を参照しながら説明する。同様の参照番号は、明示的に述べるのでない限り同様の意味を持つ。図３では、通信システム１０は、本発明のワイヤレス伝送タグ１００および電子装置３００を含む。電子装置は受信機３１０を備え、受信機３１０は通常、ワイヤレス伝送タグ１００によって送信されるデータを受信するアンテナ３３０と、受信機３１０に応答する処理装置３２０とを含む。任意選択で、電子装置は、その処理装置３２０または受信機３１０を介して、家庭内ネットワークなどの有線または無線のネットワーク３４０、または電話線やインターネットなどの外部に結合することができる。
【００３１】
通信システム１０のオペレーションは通常、以下の方法に基づく。第１ステップでは、ワイヤレス伝送タグ１００に結合されるセンサ１５０によって外部刺激が検出され、後続のステップでは、センサ１５０による刺激の検出に応答して、ワイヤレス伝送タグ１００からのデータ伝送が活動化される。このデータ伝送は、電子装置３００によって電子装置３００の受信機３１０を介して受信され、電子装置３００の処理装置３２０に転送され、処理装置３２０は、外部刺激に関係する電子装置３００のオペレーションを開始するために、受信したデータを処理する。
【００３２】
通信システム１０の電子装置３００は、例えば、電子装置３００の処理装置３２０に結合された受信機３１０を備えるオーブンまたは高周波レンジでよい。ユーザによりワイヤレス伝送タグ１００が活動化されると電子装置３００に調理命令を送信するようにセンサ１５０を構成し、または、食料包みの内部温度を感知するようにセンサ１５０を構成して、電子装置３００内で調理すべき食料包みにワイヤレス伝送タグ１００を取り付けることができ、食料包みの内部温度を感知するようにセンサ１５０を構成する場合、ワイヤレス伝送タグ１００は、食料包み内の食料が事前定義された温度に達し、食料の調理が完了したことを示すときに活動化される。ワイヤレス伝送タグ１００のメモリは、電子装置３００をオフにする命令を格納することができ、その命令は、所期の外部刺激が検出されると送信される。ジューサ、ミキサ、コーヒー・メーカなどの多種多様な他の家庭電気器具にこの概念を拡張できることは当業者には明らかであろう。
【００３３】
別の例では、電子装置３００は、ワイヤレス伝送タグ１００から受信されるデータを表示するディスプレイに結合される。そのような電子装置は、冷蔵庫などの保管装置でよく、ワイヤレス伝送タグ１００によって送信されたデータを受信すると、例えば毒素によって汚染された冷蔵庫内の製品の情報をディスプレイに提供する。このことは、こうした製品の潜在的消費者が汚染された製品を実際に消費することを防止することができる。
【００３４】
通信システム１０の代替例では、ワイヤレス伝送タグ１００が医薬品容器に取り付けられ、センサ１５０が容器の開封を感知する。容器の開封は通常、患者の治療の開始と同時に行われ、この外部刺激、すなわち容器の開封を使用して、治療の開始および医薬品の摂取頻度を示すデータを電子装置３００に供給することができ、それを使用して、例えばディスプレイ・メッセージもしくは可聴信号またはそれらの組合せによって次回の医薬品の摂取時を患者に適時に通知するように電子装置３００をプログラムすることができる。電子装置３００は、アラーム・クロック、腕時計、ラジオなど、アラーム機能を備えるどんな電子装置でもよい。
【００３５】
通信システム１０の別の例では、電子装置３００は、センサ１５０をトリガする光出力などの出力を備える装置でよく、センサ１５０は、ワイヤレス伝送タグ１００によるデータ伝送をトリガする。そのような電子装置３００は、例えばスーパーマーケットのハンドヘルド・スキャナまたはバー・コード・リーダでよい。データ伝送タグ１００のメモリ１１０に格納されたデータは、ワイヤレス伝送タグ１００が取り付けられる製品の内容のリストを含むことができ、電子装置３００の受信機３１０によって受信され、電子装置３００に結合されたディスプレイ上に表示し、製品の所期の購入者またはユーザに製品の内容を通知することができる。電子装置３００のプロセッサ３２０でのデータの処理ステップが、このデータの表示に先行することができ、その処理ステップでは、ワイヤレス伝送タグ１００から受信されたデータが製品の所期の購入者またはユーザの個人データと比較される。この個人データは、所期の購入者またはユーザによって搬送される別のワイヤレス伝送タグに格納することができ、または電子装置３００内に局在化し、もしくはネットワーク３４０を介してアクセス可能なデータベースから取り出すことができる。このようにして、所期の購入者またはユーザは、例えば所期の購入者またはユーザがアレルギーを持つ原料を製品が含むことについて警告を受けることができる。
【００３６】
多くの場合、センサ１５０信号による外部刺激の検出は、ワイヤレス伝送タグ１００が取り付けられた製品の使用または消費と相関関係にある。したがって、センサ１５０による外部刺激の検出も、在庫中のその特定の製品の品目数の減少と相関関係にある。したがって、通信システム１０を在庫モニタとして構成することができ、電子装置３００はデータベースへのアクセスを有し、データベースには、現在在庫中の様々な製品数が登録される。ワイヤレス伝送タグ１００の送信データは通常、処理装置３２０によって認識される製品識別子を含み、その後で処理装置３２０は、データベース内のこの特定の製品の品目数を更新する。データベース内の情報を使用して、自動ショッピング・リストを生成することができ、一定の主な製品が在庫するように保証される。データベースはネットワーク３４０を介して電子装置３００からアクセス可能であり、構内、例えば家庭内ネットワークに結合されたコンピュータ上に配置することができ、またはリモートアドレス、例えばスーパーマーケットのコンピュータに配置することができ、スーパーマーケットのコンピュータに配置する場合、センサ１５０による外部刺激の検出によって自動食料雑貨類配送サービスを開始することができる。在庫しておかなければならない非食料品もこのように監視することができ、例えば、糖尿病患者やＨＩＶに感染した患者などの患者に対する主な医薬品の供給をこのようにして調節することができる。このような方法は従来技術のワイヤレス伝送タグでは実現不可能であることを強調しておく。未使用製品のワイヤレス伝送タグと使用済み製品のワイヤレス伝送タグによって送信されるデータを区別することができないからである。
【００３７】
センサ１５０による外部刺激の検出が食料品の消費または調理と同時に行えるという事実は、食料品のユーザに調理の提案を提供することにも利用することができる。電子装置３００によるワイヤレス伝送タグ１００データ伝送の検出を使用して、どの製品が在庫中かを調査するように電子装置３００をトリガすることができる。このことは、前述の在庫データベースにアクセスすることによって行うことができ、または従来のタグすなわち非センサタグも通信システム１０の領域内に存在する場合は、スキャンを開始して、従来のタグを備える製品の存在を検出することによって行うことができる。検出した製品のリストは、調理中の食料品のユーザに調理法の提案を提供するのに使用することができ、ネットワーク３４０を介してアクセス可能なデータベースから取り出すことができる。
【００３８】
上述の実施形態は本発明を限定するのではなく、本発明を例示するものであり、添付の特許請求の範囲から逸脱することなく、当業者は多数の代替実施形態を設計することができることに留意されたい。特許請求の範囲では、括弧内に置かれた任意の参照番号を、特許請求の範囲を限定するものと理解すべきではない。「備える（ｃｏｍｐｒｉｓｉｎｇ）」という語は、特許請求の範囲に列挙される以外の要素またはステップの存在を除外しない。要素に先行する「ａ」または「ａｎ」という語は、複数のそのような要素の存在を除外しない。本発明は、いくつかの別個の要素を含むハードウェアによって実施することができ、適切にプログラムされたコンピュータによって実施することができる。いくつかの手段を列挙する装置クレームでは、そうした手段のいくつかを、ハードウェアの同一のアイテムによって具体化することができる。いくつかの方策が互いに異なる従属クレームで引用されているという単なる事実は、これらの方策の組合せを使用して益を得ることができないことを示すものではない。
【図面の簡単な説明】
【００３９】
【図１】本発明によるワイヤレス伝送タグを示す略図である。
【図２】本発明によるワイヤレス伝送タグが取り付けられた製品を示す略図である。
【図３】本発明による通信システムの一実施形態を示す略図である。
【図１】
2006519563.tif 000003
【図２】
2006519563.tif 000004
【図３】
2006519563.tif 000005
【国際調査報告】
2006519563.tif 000006
2006519563.tif 000007